(57)【要約】【課題】現在地から経由駅に至る経路を、ユーザに情報入力の負担をかけることなく、さまざまなパターンでレコメンドする情報処理装置を提供する。【解決手段】情報処理装置１は、鉄道の駅及びその位置、路線情報及び時刻表情報を保持する運行情報ＤＢ１０４を備え、ＧＰＳセンサ１５による現在地の検出を契機に目的地の指定を待つこと無く、該現在地から移動可能な所定数以下の駅を探索し、これにより特定された駅に向けて該現在地から移動したときの到着見込時刻を算出するとともに、算出した到着見込時刻以降に該駅から発車する鉄道の運行情報を時刻表情報より抽出する。情報処理装置１は、特定された駅を経路に含む路線俯瞰図を路線情報に基づいて生成し、生成した路線俯瞰図を現在地、到着見込時刻及び運行情報を当該駅に関連付けてディスプレイ１７に表示する。【選択図】図２
2020073887.tif 000002
【特許請求の範囲】
【請求項１】
タッチ操作による情報入力を受け付けるタッチパネル式のディスプレイと、現在地及び現在時刻を検出するセンサと、サーバ装置との間に通信路を確立する通信手段と、制御手段と、を備えて成り、
前記サーバ装置は、列車の駅及びその位置、列車の路線情報及び時刻表情報、乗合バスの停留所及びその周辺地図、バス時刻表情報、いずれかの駅への乗換が可能な停留所である乗換停留所の識別情報を保持する保持手段と、前記通信手段により通信路が確立された後、前記センサによる現在地の検出を契機に目的地の指定を待つこと無く前記保持手段にアクセスして、前記現在地から移動可能な所定数以下の駅を探索し、これにより特定された駅に向けて前記現在地から移動したときの到着見込時刻を算出するとともに、算出した到着見込時刻以降に当該駅から発車する列車の運行情報を前記時刻表情報から抽出する探索手段と、を有するものであり、
前記制御手段は、前記サーバ装置で特定された駅を経路に含む路線俯瞰図を前記路線情報に基づいて生成し、生成した路線俯瞰図を前記現在地と共に前記ディスプレイに表示するとともに、前記路線俯瞰図における駅毎に、当該駅への前記到着見込時刻をマッピング表示し、前記タッチ操作によっていずれかの駅又は前記到着見込時刻の表示領域が指定されたときは、前記現在地から最寄りの停留所及び当該駅に至るまでの経路図を前記周辺地図及び前記乗換停留所の識別情報をもとに生成し、この経路図を前記ディスプレイに切替表示させる、情報処理装置。
【請求項２】
タッチ操作による情報入力を受け付けるタッチパネル式のディスプレイと現在地及び現在時刻を検出するセンサとを備えた情報処理装置との間に通信路を確立する通信手段と、
列車の駅及びその位置、列車の路線情報及び時刻表情報、乗合バスの停留所及びその周辺地図、バス時刻表情報、いずれかの駅への乗換が可能な停留所である乗換停留所の識別情報を保持する保持手段と、
前記通信手段により前記通信路が確立された後、前記センサによる現在地の検出を契機に目的地の指定を待つこと無く前記保持手段にアクセスして、前記現在地から移動可能な所定数以下の駅を探索し、これにより特定された駅に向けて前記現在地から移動したときの到着見込時刻を算出するとともに、算出した到着見込時刻以降に当該駅から発車する列車の運行情報を前記時刻表情報から抽出する探索手段と、
前記探索結果及び前記運行情報を前記情報処理装置へ送信して、前記特定された駅を経路に含む路線俯瞰図を前記現在地と共に前記ディスプレイに表示させるとともに、前記路線俯瞰図における駅毎に、当該駅への前記到着見込時刻をマッピング表示させ、前記タッチ操作によっていずれかの駅又は前記到着見込時刻の表示領域が指定されたときは、前記現在地から最寄りの停留所及び当該駅に至るまでの経路図を前記周辺地図及び前記乗換停留所の識別情報をもとに生成し、生成した経路図を前記情報処理装置へ送信して前記ディスプレイに切替表示させる制御手段と、を備えて成る、
サーバ装置。
【請求項３】
タッチ操作による情報入力を受け付けるタッチパネル式のディスプレイと現在地及び現在時刻を検出するセンサとを備えた情報処理装置と、前記情報処理装置との通信が可能なサーバ装置との間で実行される方法であって、
前記情報処理装置又は前記サーバ装置に、列車の駅及びその位置、列車の路線情報及び時刻表情報、乗合バスの停留所及びその周辺地図、バス時刻表情報、いずれかの駅への乗換が可能な停留所である乗換停留所の識別情報を保持する保持工程と、
前記情報処理装置の前記センサによる現在地の検出を契機に目的地の指定を待つこと無く前記保持されている情報にアクセスして、前記現在地から移動可能な所定数以下の駅を探索し、これにより特定された駅に向けて前記現在地から移動したときの到着見込時刻を算出するとともに、算出した到着見込時刻以降に当該駅から発車する列車の運行情報を前記時刻表情報から抽出する探索工程と、
前記特定された駅を経路に含む路線俯瞰図を前記路線情報に基づいて生成し、生成した路線俯瞰図を前記現在地と共に前記ディスプレイに表示するとともに、前記路線俯瞰図における駅毎に、当該駅への前記到着見込時刻をマッピング表示し、前記タッチ操作によっていずれかの駅又は前記到着見込時刻の表示領域が指定されたときは、前記現在地から最寄りの停留所及び当該駅に至るまでの経路図を前記周辺地図及び前記乗換停留所の識別情報をもとに生成し、この経路図を前記ディスプレイに切替表示させる制御工程と、
を有することを特徴とする、公共交通機関の利用案内方法。
【請求項４】
通信機能を有するコンピュータを請求項１に記載された情報処理装置として動作させるためのコンピュータプログラム。
【請求項５】
通信機能を有するコンピュータを請求項２に記載されたサーバ装置として動作させるためのコンピュータプログラム。
【発明の詳細な説明】
【技術分野】
【０００１】
本発明は、例えば携帯端末等の情報処理装置を利用した列車、バス等の公共交通機関の利用案内技術に関する。
【背景技術】
【０００２】
列車、バス等の公共交通機関における従来の経路探索技術ではユーザによる「目的地」の入力操作が必須であり、目的地が定まらない限り経路探索ができない。ユーザが入力する経路探索の対象となる公共交通機関もユーザが知り得た路線のものでしかない。例えば、特許文献１は、出発地、目的地、利用時刻を含む経路探索条件に従い、出発地から目的地までの経路探索を行う案内情報提供システムを開示する。
【先行技術文献】
【特許文献】
【０００３】
【特許文献１】特開２０１３−２３８９８０号公報
【発明の概要】
【発明が解決しようとする課題】
【０００４】
しかし、現在地によっては、自分が今どこにいて、どの路線の公共交通機関を利用できるかを即座に判断できない場合がある。また、目的地の指定を煩雑に感じる場合もある。公共交通機関の乗車に慣れているユーザは目的地に至る路線の情報を知っているし、目的地に至る経由駅であってもその経由駅の路線の列車に乗車しさえすれば、いずれは目的地に到達できることを知っているのが通常である。
そうであれば、経由駅の路線をいくつか案内し、目的地に至る経由駅を提案し、ユーザがいずれかの経由駅を選択できるようにすれば、目的地の入力はそもそも不要となるからユーザにとって利便性が高まる。
【０００５】
本発明は、上記背景のもと、現在地から経由駅に至る経路を、ユーザに情報入力の負担をかけることなく、さまざまなパターンでレコメンドし、タクシーなどを利用することなく、なるべく既存の公共交通機関の利用を促進できる仕組みを提供することを主たる課題とする。
【課題を解決するための手段】
【０００６】
上記課題を解決するため、本発明は、タッチ操作による情報入力を受け付けるタッチパネル式のディスプレイと、現在地及び現在時刻を検出するセンサと、サーバ装置との間に通信路を確立する通信手段と、制御手段と、を備えて成り、前記サーバ装置は、列車の駅及びその位置、列車の路線情報及び時刻表情報、乗合バスの停留所及びその周辺地図、バス時刻表情報、いずれかの駅への乗換が可能な停留所である乗換停留所の識別情報を保持する保持手段と、前記通信手段により通信路が確立された後、前記センサによる現在地の検出を契機に目的地の指定を待つこと無く前記保持手段にアクセスして、前記現在地から移動可能な所定数以下の駅を探索し、これにより特定された駅に向けて前記現在地から移動したときの到着見込時刻を算出するとともに、算出した到着見込時刻以降に当該駅から発車する列車の運行情報を前記時刻表情報から抽出する探索手段と、を有するものであり、前記制御手段は、前記サーバ装置で特定された駅を経路に含む路線俯瞰図を前記路線情報に基づいて生成し、生成した路線俯瞰図を前記現在地と共に前記ディスプレイに表示するとともに、前記路線俯瞰図における駅毎に、当該駅への前記到着見込時刻をマッピング表示し、前記タッチ操作によっていずれかの駅又は前記到着見込時刻の表示領域が指定されたときは、前記現在地から最寄りの停留所及び当該駅に至るまでの経路図を前記周辺地図及び前記乗換停留所の識別情報をもとに生成し、この経路図を前記ディスプレイに切替表示させる、情報処理装置を提供する。
【発明の効果】
【０００７】
本発明によれば、ユーザの目的地を推定した複数の公共交通機関の利用経路を提案し、ユーザの指定を待って次の処理を行うことができるので、ユーザの需要に適合した効率的な経路探索が可能になる。また、公共交通機関の利用を促進することができる。
【図面の簡単な説明】
【０００８】
【図１】（ａ）、（ｂ）は、情報処理装置の説明図。
【図２】情報処理装置の機能ブロック図。
【図３】鉄道情報及び乗合バス情報の説明図。
【図４】公共交通機関の利用案内処理の手順説明図。
【図５】路線俯瞰図の例示図。
【図６】路線俯瞰図の例示図。
【図７】路線俯瞰図の例示図。
【図８】路線俯瞰図の例示図。
【図９】経路図の例示図。
【発明を実施するための形態】
【０００９】
以下、図面を参照しつつ実施形態を詳細に説明する。
【００１０】
本実施形態の公共交通機関の利用案内装置は、情報処理装置が、所定のアプリケーションプログラムを実行することで実現される。図１は、このような情報処理装置の説明図である。図１（ａ）は情報処理装置１の外観図であり、図１（ｂ）は情報処理装置１のハードウェア構成図である。情報処理装置１は、例えばスマートフォンやタブレット端末等の携帯型のコンピュータにより実現される。情報処理装置１は、ＣＰＵ（Central Processing Unit）１１、ＲＡＭ（Random Access Memory）１２、ＲＯＭ（Read Only Memory）１３、ストレージ１４、ＧＰＳ（Global Positioning System）センサ１５、入力デバイス１６、及びディスプレイ１７を備える。各構成要素は、バスＢを介して通信可能に接続されている。
【００１１】
ＣＰＵ１１は、ＲＯＭ１３から起動プログラムを読み出して実行することで情報処理装置１の起動処理を行う。また、ＣＰＵ１１は、ストレージ１４からアプリケーションプログラムを読み出し、ＲＡＭ１２を作業領域に用いて実行することで、情報処理装置１を利用案内装置として機能させる。ＣＰＵ１１は、アプリケーションプログラムの実行により、後述する機能ブロックを実現する。
【００１２】
ストレージ１４は、ＨＤＤ（Hard Disk Drive）やＳＳＤ（Solid State Drive）等の大容量記憶装置である。ストレージ１４は、情報処理装置１にインストールされるアプリケーションプログラム等のコンピュータプログラムや各種データを格納する。ＧＰＳセンサ１５は、ＧＰＳ衛星から発信される電波を受信して、現在地及び現在時刻を検出する。入力デバイス１６は、入力ボタン１６１（図１（ａ）参照）や位置入力装置である。ディス
プレイ１７は、ＦＰＤ（Flat Panel Display）である。情報処理装置１は、例えば、入力デバイス１６として透明なシート状の位置入力装置を用い、これをディスプレイ１７の表示面に設けることで、タッチ操作による情報入力を受け付けるタッチパネル式ディスプレイを備える。
【００１３】
図２は、情報処理装置１の機能ブロック図である。本実施形態では、各機能ブロックは、ＣＰＵ１１がアプリケーションプログラムを実行することで実現されるものとして説明するが、少なくとも一部がハードウェアにより実現されるものであってもよい。情報処理装置１は、位置情報取得部１０１、時刻情報取得部１０２、経路探索エンジン１０３、運行情報データベース（以下、「ＤＢ」と記す。）１０４、主制御部１０５、入力制御部１０６、及び表示制御部１０７として機能する。
【００１４】
位置情報取得部１０１は、ＧＰＳセンサ１５が検出した情報処理装置１の現在地を表す情報を取得してＲＡＭ１２に格納する。時刻情報取得部１０２は、ＧＰＳセンサ１５が検出した現在時刻を表す情報を取得してＲＡＭ１２に格納する。
【００１５】
経路探索エンジン１０３は、ＧＰＳセンサ１５による現在地の検出を契機に、ユーザによる目的地の指定を待つことなく運行情報ＤＢ１０４にアクセスして経路探索を行う。経路探索エンジン１０３は、現在地から移動可能な所定数以下の乗車場所を探索して、これにより特定した乗車場所に向けて現在地から移動したときの到着見込時刻を算出する。探索の対象となる現在地から移動可能な乗車場所は、徒歩や乗合バスにより現在地から移動できる鉄道の駅である。経路探索エンジン１０３は、算出した到着見込時刻以降に該乗車場所から発車する公共交通機関の運行情報を運行情報ＤＢ１０４から抽出する。例えば、経路探索エンジン１０３は、到着見込時刻以降に該乗車場所から利用可能な公共交通機関の行先及び発車時刻と、路線及び種別との少なくとも一方を運行情報として抽出する。
【００１６】
運行情報ＤＢ１０４は、鉄道情報及び乗合バス情報を保持する。図３は、鉄道情報及び乗合バス情報の説明図である。鉄道情報は、公共交通機関の乗車場所及びその位置、路線情報及び時刻表情報を含む。公共交通機関の乗車場所は、本実施形態では鉄道路線上の駅名で表され、その位置は位置情報（例えば経度、緯度、住所等）で表される。路線情報及び時刻表情報は、例えば経路探索用のダイヤ情報（路線、時刻表を含む）である。乗合バス情報は、乗合バスの停留所及びその周辺地図、バス時刻表情報、駅等の乗車場所への乗換が可能な乗換停留所の識別情報を含む。
【００１７】
経路探索エンジン１０３は、運行情報ＤＢ１０４の鉄道情報に基づいて、現在地から徒歩で移動可能な駅及び現在地から徒歩で移動可能な範囲のバス停留所を路線に含む乗合バスが該バス停留所から出発して最初に到着する駅を、乗車場所として探索する。
経路探索エンジン１０３は、現在地から乗車場所までの移動に乗合バスへの乗車が含まれる場合に、運行情報ＤＢ１０４の乗合バス情報を参照する。経路探索エンジン１０３は、乗合バス情報に基づいて、乗車場所へ移動するための乗換停留所を路線に含む乗合バスが停車する、現在地から最寄りの停留所を探索する。経路探索エンジン１０３は、探索の結果特定した最寄りの停留所までの現在地からの徒歩時間と、該停留所から最初の乗換停留所までの乗車時間と、該乗換停留所から乗車場所までの徒歩時間とを現在時刻に合算して、到着見込時刻を算出する。最初の乗換停留所とは、例えば乗合バスの路線が複数の駅を経由する場合に、最寄りの停留所から乗車して最初に到着する乗換停留所である。
経路探索エンジン１０３は、運行情報ＤＢ１０４の鉄道情報を参照して、路線情報及び時刻表情報に基づいて、到着見込時刻以降に該乗車場所から利用可能な公共交通機関の行先及び発車時刻と、路線及び種別の少なくとも一方とを運行情報として抽出する。
【００１８】
なお、経路探索エンジン１０３は、乗車場所への到着見込時刻を算出する際に、現在地
から最寄りの停留所までの経路図と、乗換停留所から乗車場所までの経路図とを生成する。経路探索エンジン１０３は、生成したこれらの経路図を、ユーザにより乗車場所が指定されるまでＲＡＭ１２に保存する。
【００１９】
主制御部１０５は、情報処理装置１の各構成要素及び各機能による処理の制御を行うことで、情報処理装置１のユーザに対して公共交通機関の利用案内サービスを提供する。主制御部１０５は、特定された所定数以下の乗車場所を経路に含む路線俯瞰図を路線情報に基づいて生成する。
入力制御部１０６は、入力デバイス１６を用いたユーザの指示等を受け付けて主制御部１０５へ送る。主制御部１０５は、入力制御部１０６から取得する指示等に応じた処理を行う。表示制御部１０７は、主制御部１０５の制御により、ディスプレイ１７に画像を表示する。本実施形態では、表示制御部１０７は、公共交通機関の利用案内に関する画像、例えば路線俯瞰図、経路図を表示する。
【００２０】
主制御部１０５は、路線俯瞰図の乗車場所毎に、到着見込時刻及び運行情報を関連付けて表示可能にする。主制御部１０５は、例えば乗車場所となる駅毎に、当該駅への到着見込時刻をマッピング表示するとともに、当該駅から発車する列車の行先及び発車時刻と、路線及び種別の少なくとも一方とを、到着見込時刻に関連付けて表示する。
主制御部１０５は、ユーザが入力デバイス１６を用いて、路線俯瞰図からいずれかの乗車場所又は到着見込時刻の表示領域を指定するときには、現在地から指定された乗車場所に至るまでの経路図をディスプレイ１７に切替表示させる。主制御部１０５は、路線俯瞰図の乗車場所又は乗車場所が含まれる路線を強調表示してもよい。主制御部１０５は、例えば、路線俯瞰図の乗車場所の駅に乗り入れている路線を強調表示し、乗車場所から乗換を要さずに到達できる駅名のみを表示する。強調表示の態様の設定は、例えばユーザが入力デバイス１６により指示することが可能である。
【００２１】
図４は、このような情報処理装置１による公共交通機関の利用案内処理を表すフローチャートである。情報処理装置１は、この処理を実行することで、例えば情報処理装置１を携帯するユーザが外出中に現在地から移動可能な駅を探索し、該駅から利用可能な交通機関についての情報をユーザに提供する。図５〜図９は、ディスプレイ１７に表示される路線俯瞰図の例示図である。
【００２２】
情報処理装置１は、ＧＰＳセンサ１５により現在地及び現在時刻を検出する（Ｓ１０）。検出された現在地及び現在時刻は、ＧＰＳセンサ１５から位置情報取得部１０１及び時刻情報取得部１０２へ送られる。位置情報取得部１０１及び時刻情報取得部１０２は、取得した現在地を表す情報及び現在時刻を表す情報をＲＡＭ１２に格納する。
【００２３】
主制御部１０５は、ＧＰＳセンサ１５による現在地の検出を契機にして、経路探索エンジン１０３に乗車場所の探索を指示する。経路探索エンジン１０３は、まず、ＲＡＭ１２に格納される現在地を表す情報に基づいて、現在地から移動可能な所定数以下の乗車場所となる駅を探索する（Ｓ１１）。経路探索エンジン１０３は、運行情報ＤＢ１０４にアクセスして鉄道情報を参照し、現在地から移動可能な駅名を探索する。図５〜図８の例では、星印が現在地を表す。経路探索エンジン１０３による乗車場所となる駅の探索結果は、「中野駅」、「高円寺駅」、「野方駅」の３カ所である。本実施形態では乗車場所となる駅を３カ所探索する例を示すが、大都市のように公共交通機関が充実した地域では更に多くの駅を乗車場所として表示してもよい。逆に、公共交通機関があまり充実していない地域では、表示される乗車場所（駅）が少なくなる。
【００２４】
経路探索エンジン１０３は、乗車場所となる駅への到着見込時刻を算出する（Ｓ１２）。経路探索エンジン１０３は、運行情報ＤＢ１０４にアクセスして乗合バス情報を参照し
、現在地に最寄りの停留所から乗車場所となる各駅に向けて移動したときの到着見込時刻を算出する。経路探索エンジン１０３は、上記の通り、現在地から最寄りの停留所までの徒歩時間と、該停留所から最初の乗換停留所までの乗車時間と、該乗換停留所から乗車場所の駅までの徒歩時間とを現在時刻に合算し、合算した時刻を到着見込時刻として算出する。なお、現在地から乗車場所となる駅までの徒歩による移動が可能である場合、経路探索エンジンは、徒歩の場合の到着見込時刻を算出する。徒歩による移動は、その許容時間が予め設定される。ユーザが許容時間を入力デバイス１６により入力して設定してもよい。徒歩の場合の到着見込時刻は、現在地から乗車場所となる駅までの経路の距離に応じて算出される。人の歩行速度はおおよそ４［ｋｍ／ｈ］であるので、経路探索エンジン１０３は、現在地から乗車場所となる駅までの経路の距離と歩行速度とから、到着予想時刻を算出する。なお、経路探索エンジン１０３は、例えば距離と歩行時間との関連を表すテーブルを保持しておき、現在地から乗車場所となる駅までの経路の距離に応じて歩行時間を特定し、現在時刻に歩行時間を加算することで到着見込時刻を算出してもよい。
【００２５】
図５〜図８の例では、「中野駅」へのバスによる到着見込時刻が「１５時１５分」、「高円寺駅」へのバスによる到着見込時刻が「１５時１８分」、「野方駅」へのバスによる到着見込時刻が「１５時１０分」である。また、図６の例では、「中野駅」への徒歩による到着見込時刻が「１５時２０分」、「高円寺駅」への徒歩による到着見込時刻が「１５時２８分」、「野方駅」への徒歩による到着見込時刻が「１５時３２分」である。このように、バス及び徒歩のいずれでも乗車場所に到着可能である場合には、両方の到着見込時刻を表示する。一方だけが合理的な経路となる場合には、該一方だけを表示する。
【００２６】
経路探索エンジン１０３は、各乗車場所への到着見込時刻以降に該乗車場所となる駅から発車する公共交通機関の発車時刻を表す運行情報を、運行情報ＤＢ１０４を参照して抽出する（Ｓ１３）。経路探索エンジン１０３は、運行情報ＤＢ１０４の鉄道情報を参照して、各乗車場所となる駅からの発車時刻を路線情報及び時刻表情報から抽出する。図５の例では、各乗車場所となる駅の上り方向及び下り方向の発車時刻、列車種別、方向、行先等の抽出結果が表示される。
【００２７】
主制御部１０５は、経路探索エンジン１０３による探索結果や運行情報に基づいて、乗車場所となる駅を経路に含む路線俯瞰図を生成する（Ｓ１４）。主制御部１０５は、生成した路線俯瞰図を表示制御部１０７によりディスプレイ１７に表示させる（Ｓ１５）。このようにしてディスプレイ１７に図５〜図８に例示するような路線俯瞰図が表示される。
【００２８】
図５は、路線俯瞰図の基本画像であり、各乗車場所となる駅への到着見込時刻と、到着後に各駅で乗車可能な最初の列車の発車時刻、列車種別、方向、行先が表示される。
図６は、乗車場所となる駅まで乗合バスで行く場合と、徒歩で行く場合との到着見込時刻を表示する場合の路線俯瞰図である。この路線俯瞰図では、バス、徒歩のいずれでも到着可能な駅については、両方の到着見込時刻を表示し、一方だけが合理的な経路となる場合は、一方だけを表示する。図６の例では、「中野駅」へは徒歩による移動が合理的な経路となるために、徒歩による到着見込時刻が表示される。「高円寺駅」及び「野方駅」については、バス及び徒歩の両方で到達可能であるために、両方の到着見込時刻が表示される。
【００２９】
図７は、乗車場所となる駅に乗り入れている路線を強調表示した場合の路線俯瞰図である。この路線俯瞰図は、乗車場所となる駅から乗換を要さずに到達できる駅名及び路線名を表示し、当該駅から乗換を要する駅名及び路線名を表示しない。このように表示される路線俯瞰図は、ユーザに、現在地から移動可能な乗車場所で乗車する路線で移動可能な駅を強調して提示できる。
図８は、乗車場所に乗り入れている路線を強調表示していない場合の路線俯瞰図である
。この路線俯瞰図は、乗車場所となる駅から乗換を要する駅名及び路線名を表示する。そのためにユーザは、乗換を要する目的地への経路を容易に見つけることができる。
【００３０】
これらの路線俯瞰図は、ユーザが入力デバイス１６を用いて指示することで切替が可能である。主制御部１０５は、指示に応じてディスプレイ１７に表示される路線俯瞰図を切り替える。
【００３１】
情報処理装置１のユーザは、このような路線俯瞰図から、入力デバイス１６により乗車場所となる駅の中から、目的地に至る経由駅を選択可能である。ここではタッチパネルにより駅名又は到着見込時刻をタッチ操作することで選択する場合について説明するが、入力ボタン１６１の操作により選択してもよい。主制御部１０５は、ユーザによるタッチ操作により選択された駅名又は到着見込時刻を入力制御部１０６から取得する（Ｓ１６）。主制御部１０５は、選択された経由駅への現在地からの経路図を表示制御部１０７によりディスプレイ１７に表示させる（Ｓ１７）。経路図は、上述の通り、経路探索エンジン１０３により、乗車場所への到着見込時刻を算出する際に生成されてＲＡＭ１２に保存される。主制御部１０５は、経由駅への経路図をＲＡＭ１２から取得してディスプレイ１７に表示させる。
【００３２】
図９は、経路図の例示図である。図９の例では、経由駅に「中野駅」が選択されており、現在地から最寄りの停留所までの経路、該停留所で乗車する乗合バスの行先及び発車時刻、下車する停留所名（乗換停留所）及び該乗換停留所への到着見込時刻、「中野駅」への到着見込時刻が表示される。乗合バスに乗車しない場合、経路図は、徒歩の経路を表示する。なお、現在地から経由駅までの距離が離れている場合には、現在地から最寄りの停留所までの経路、及び乗換停留所から経由駅までの経路を表す経路図が表示される。
【００３３】
以上のような本実施形態の情報処理装置１は、ユーザによる目的地の指定を待つことなく、現在地から移動可能な乗車場所を探索して、ユーザに到着見込時刻を含めて提示する。ユーザは、提示内容から自身の判断で利用する経由駅を選択する。情報処理装置１は、この選択結果に応じて、ユーザに対して、現在地から経由駅への移動経路を提示する。そのためにユーザは、目的地の入力を行うことなく、目的地への経由駅へ至る経路を容易に取得することができる。
【００３４】
以上の説明では、経路探索エンジン１０３及び運行情報ＤＢ１０４を情報処理装置１が備える構成として説明したが、これらはサーバ等の外部装置に設けるようにしてもよい。この場合、情報処理装置１は、外部装置との間で公衆回線網を介して通信可能な機能を備える。情報処理装置１は、ＧＰＳセンサ１５による現在地及び現在時刻の検出結果を、公衆回線網を介して外部装置に送信する。情報処理装置１は、外部装置から公衆回線網を介して探索結果や運行情報を取得し、乗車場所となる駅を経路に含む路線俯瞰図を生成する。ユーザが経由駅を選択すると、情報処理装置１は、選択された経由駅名を公衆回線網を介して外部装置に送信する。外部装置は、経由駅名に応じた経路図を公衆回線網を介して情報処理装置１へ送信する。情報処理装置１は、このようにして取得した経路図をディスプレイ１７に表示することになる。
【符号の説明】
【００３５】
１…情報処理装置、１１…ＣＰＵ、１２…ＲＡＭ、１３…ＲＯＭ、１４…ストレージ、１５…ＧＰＳセンサ、１６…入力デバイス、１６１…入力ボタン、１７…ディスプレイ、１０１…位置情報取得部、１０２…時刻情報取得部、１０３…経路探索エンジン、１０４…運行情報ＤＢ、１０５…主制御部、１０６…入力制御部、１０７…表示制御部
【図１】
2020073887.tif 000003
【図２】
2020073887.tif 000004
【図３】
2020073887.tif 000005
【図４】
2020073887.tif 000006
【図５】
2020073887.tif 000007
【図６】
2020073887.tif 000008
【図７】
2020073887.tif 000009
【図８】
2020073887.tif 000010
【図９】
2020073887.tif 000011